(57)【要約】      （修正有）【課題】装置の大型化を招くことなく、ジャム紙葉類を除去する作業性を向上させた紙葉類処理装置を提供する。【解決手段】伸縮ベルト１を収縮力に抗して支持する複数のプーリ１０〜１７のうち一部のプーリ１０〜１２を、紙葉類搬送時に第一の移動位置ｐ１にあり、紙葉類除去時に第一の移動位置ｐ１から第二の移動位置ｐ２に移動可能に構成し、第一の移動位置ｐ１において伸縮ベルト１と伸縮ベルト１に搬送路Ｒ１を介して対面する他のベルト３とが接触乃至近接し、第一の移動位置ｐ１における伸縮ベルト１に囲まれる領域Ａｒ１内で搬送路Ｘ１から離間する方向（Ｘ１方向）に移動した第二の移動位置ｐ２において伸縮ベルト１の搬送路Ｘ１に面する部位１ａの少なくとも一部を伸縮ベルト１の収縮により搬送路Ｘ１から離間する方向（Ｘ１方向）に変位させて、伸縮ベルト１と対面する他のベルト３との間にジャム紙葉類除去用の空隙Ｋ１を形成するようにした。【選択図】図４
2012062146.tif 000002
【特許請求の範囲】
【請求項１】
紙葉類の搬送路を挟む位置に配置される複数の無端ベルトと、各々の無端ベルトを支持する複数のプーリとを有し、少なくとも二つの無端ベルトで紙葉類を挟持して搬送する紙葉類処理装置であって、
前記複数の無端ベルトのうち少なくとも一つの無端ベルトを、伸縮性を有し収縮力の発現する伸長状態で張り巡らせた伸縮ベルトとし、伸縮ベルトを収縮力に抗して支持する複数のプーリのうち搬送路を支持する位置に配置される少なくとも一部のプーリを、紙葉類搬送時に第一の移動位置にあり、紙葉類除去時に前記第一の移動位置から第二の移動位置に移動可能に構成し、第一の移動位置において伸縮ベルトと当該伸縮ベルトに搬送路を介して対面する他のベルトとが接触乃至近接し、第一の移動位置における伸縮ベルトに囲まれる領域内で搬送路から離間する方向に移動した第二の移動位置において伸縮ベルトの搬送路に面する部位の少なくとも一部を伸縮ベルトの収縮により搬送路から離間する方向に変位させて、伸縮ベルトと対面する他のベルトとの間にジャム紙葉類除去用の空隙を形成するようにしたことを特徴とする紙葉類処理装置。
【請求項２】
前記伸縮ベルトを搬送路に沿ってギャップを介して隣接状態に二つ配置して第一及び第二の伸縮ベルトとし、第一及び第二の伸縮ベルトを収縮力に抗して支持する複数のプーリのうち搬送路を支持する位置に配置される少なくとも一部のプーリを、紙葉類搬送時に第一の移動位置にあり、紙葉類除去時に前記第一の移動位置から第二の移動位置に移動可能に構成し、第一の移動位置において両伸縮ベルトと当該両伸縮ベルトに搬送路を介して対面する他の少なくとも一つの無端ベルトとが接触乃至近接し、第一の移動位置における両伸縮ベルトに囲まれる領域内で搬送路から離間する方向に移動して両伸縮ベルトを収縮させた第二の移動位置において第一及び第二の伸縮ベルトの搬送路に面する部位のうち各々のギャップ側部位を両伸縮ベルトの収縮により搬送路から離間する方向に変位させた両開き状態にし、第一及び第二の伸縮ベルトと対面する他の無端ベルトとの間にジャム紙葉類除去用の空隙を形成するようにした請求項１に記載の紙葉類処理装置。
【請求項３】
第一の伸縮ベルトを支持するプーリの移動と、第二の伸縮ベルトを支持するプーリの移動とを連動させるリンク機構を備える請求項２に記載の紙葉類処理装置。
【請求項４】
第一の伸縮ベルトのうち前記ギャップに面する部位と前記搬送路に面する部位との入隅部に配置される第一の入隅プーリが取り付けられる第一のプーリフレームと、第二の伸縮ベルトのうち前記ギャップに面する部位と前記搬送路に面する部位との入隅部に配置される第二の入隅プーリが取り付けられる第二のプーリフレームとを備え、両プーリフレームは、各々の入隅プーリが取り付けられた互いの先端部位を突きあわせた状態で基端側に設定された基点の回りに回転可能とし、回転動作によって両入隅プーリを前記第一の移動位置又は第二の移動位置に移動させるように構成されており、
第一のプーリフレームに、前記第一の入隅プーリに巻き付く第一の伸長ベルトの幅方向一方側への脱落を禁止する位置に第一のベルトガイド部を設けるとともに、第二のプーリフレームに、前記第二の入隅プーリに巻き付く第二の伸縮ベルトの幅方向他方側への脱落を禁止する位置に第二のベルトガイド部を設け、両ベルトガイド部を各々の先端側に延伸して、第一及び第二のベルトガイド部で第一及び第二の入隅プーリを幅方向両側から挟み込むように構成した請求項２又は３に記載の紙葉類処理装置。
【請求項５】
前記伸縮ベルトの両側にそれぞれ第一及び第二の搬送路を配置したものであって、
前記伸縮ベルトを収縮力に抗して支持する複数のプーリのうち第一の搬送路を支持する位置に配置される少なくとも一部のプーリが取り付けられる第一の支持機構と、
前記伸縮ベルトを収縮力に抗して支持する複数のプーリのうち第二の搬送路を支持する位置に配置される少なくとも一部のプーリが取り付けられる第二の支持機構とを有し、
両支持機構は、互いに他方の支持機構に対して遠近自在に構成され、遠近動作によってプーリを第一の移動位置又は第二の移動位置に移動させるものであり、
両支持機構の少なくともいずれか一方には、他方の支持機構との干渉を回避しつつ他方の支持機構と遠近方向においてオーバーラップする受容部が設けられている請求項１〜４のいずれかに記載の紙葉類処理装置。
【請求項６】
両支持機構は、プーリを第二の移動位置から第一の移動位置に復帰させるオフセット手段を共用している請求項５に記載の紙葉類処理装置。
【発明の詳細な説明】
【技術分野】
【０００１】
本発明は、詰まった紙葉類への対応を適正化した紙葉類処理装置に関するものである。
【背景技術】
【０００２】
従来、紙幣や帳票、鉄道等で利用される切符等の紙葉類を処理する装置として種々の紙葉類処理装置が開発されている。このような紙葉類処理装置は、例えば紙幣であれば入金された紙幣を所定の読取位置に搬送して金種を読み取り、読み取った金種情報に基づいて紙幣を所定の金庫に仕分けて搬送するとともに、出金時には所定の金庫から取り出した紙幣を所定の読取位置に搬送して金種を読み取り、出金を間違いなく行うこと等が可能になっている。更に、外部からの紙幣の補給や、外部への紙幣の回収のためにも、内部で紙幣を搬送することがある。このような紙幣を始めとする紙葉類処理装置には、装置内の各処理部へ紙葉類を搬送するために紙葉類搬送機構が設けられている。
【０００３】
この種の紙葉類搬送機構として、例えば特許文献１に示されるように、互いに対向する部位で紙葉類を挟持しつつ搬送するための紙葉類の搬送路を形成する一対の無端ベルトと、前記各無端ベルトを支持する複数のプーリとを具備するものが知られている。この紙葉類搬送機構において紙葉類が詰まった場合には、紙葉類を搬送ベルトの幅方向から引き抜いて紙葉類を除去する。
【先行技術文献】
【特許文献】
【０００４】
【特許文献１】特開２００１−８０７８０号公報
【発明の概要】
【発明が解決しようとする課題】
【０００５】
しかしながら、上記特許文献１を始めとする従来の構成では、二つの無端ベルトで紙葉類を挟持しているので、詰まった紙葉類を取り除くにあたり、ジャム紙葉類を指でつまむことが難しく、ピンセット等の先の尖った道具でなければジャム紙葉類をつまむことができず、ジャム紙葉類を破損しないように取り除くことが容易ではない。
【０００６】
また、二つの無端ベルトで挟持された状態のジャム紙葉類をベルト幅方向に沿って引き抜くため、ベルトが紙葉類を挟む挟持力によって紙葉類と共にベルトが付いて動き、ベルトを支持するプーリからベルトが脱落してしまう場合がある。ベルトが脱落すると、これを復旧するための時間が更に必要となり、ジャム紙葉類に対応する作業性を著しく損なうことになる。
【０００７】
このような不具合を解決するために、二つの無端ベルトのうち一方の無端ベルト及びこれを支持するプーリを移動可能に構成し、一方の無端ベルト全体を他方の無端ベルトから離間させて、二つのベルトの間にジャム紙葉類除去用の空隙を形成することが一つの有効な手段として考えられるが、無端ベルト全体を離間させるためのスペースを要するので、装置の大型化を招いてしまう。
【０００８】
本発明は、このような課題に着目してなされたものであって、その目的は、装置の大型化を招くことなく、ジャム紙葉類を除去する作業性を向上させた紙葉類処理装置を提供することを目的としている。
【課題を解決するための手段】
【０００９】
本発明は、かかる目的を達成するために、次のような手段を講じたものである。
【００１０】
すなわち、本発明に係る紙葉類処理装置は、紙葉類の搬送路を挟む位置に配置される複数の無端ベルトと、各々の無端ベルトを支持する複数のプーリとを有し、少なくとも二つの無端ベルトで紙葉類を挟持して搬送する紙葉類処理装置であって、前記複数の無端ベルトのうち少なくとも一つの無端ベルトを、伸縮性を有し収縮力の発現する伸長状態で張り巡らせた伸縮ベルトとし、伸縮ベルトを収縮力に抗して支持する複数のプーリのうち搬送路を支持する位置に配置される少なくとも一部のプーリを、紙葉類搬送時に第一の移動位置にあり、紙葉類除去時に第一の移動位置から第二の移動位置に移動可能に構成し、第一の移動位置において伸縮ベルトと当該伸縮ベルトに搬送路を介して対面する他のベルトとが接触乃至近接し、第一の移動位置における伸縮ベルトに囲まれる領域内で搬送路から離間する方向に移動した第二の移動位置において伸縮ベルトの搬送路に面する部位の少なくとも一部を伸縮ベルトの収縮により搬送路から離間する方向に変位させて、伸縮ベルトと対面する他のベルトとの間にジャム紙葉類除去用の空隙を形成するようにしたことを特徴とする。
【００１１】
「近接」は、紙葉類を挟む二つの無端ベルトの間の距離を、紙葉類を搬送するために必要な挟持力が得られる程度の距離にすることを意味し、ジャム紙葉類除去用の空隙は、互いに対面する二つのベルト面同士間の距離を少なくとも指が入る程度の距離にして形成されていることを意味するものである。
【００１２】
このように、伸縮ベルトを収縮力に抗して支持する複数のプーリのうち搬送路を支持する位置に配置される少なくとも一部のプーリを、紙葉類搬送時に第一の移動位置にあり、紙葉類除去時に第一の移動位置から第二の移動位置に移動可能に構成し、搬送路から離間する方向に移動させた第二の移動位置において伸縮ベルトの搬送路に面する部位の少なくとも一部を伸縮ベルトの収縮により搬送路から離間する方向に変位させて、伸縮ベルトと対面する他のベルトとの間にジャム紙葉類除去用の空隙を形成するようにしたので、従来であればピンセット等の先の尖った道具でなければジャム紙葉類を掴めなかったものの、ジャム紙葉類除去用の空隙によってジャム紙葉類を指で掴むことが可能となり、紙葉類の除去作業が容易となる。しかも、ジャム紙葉類除去用の空隙によって無端ベルトによる紙葉類の挟持力が低減するので、紙葉類の除去時にベルトがプーリから脱落することを低減することが可能となる。さらに、搬送路を支持する位置にあるプーリの少なくとも一部を、第一の移動位置における伸縮ベルトに囲まれる領域内で移動させることにより伸縮ベルトを収縮させるので、ベルトを支持する複数のプーリの位置関係すなわちベルト長を保った状態でベルト全体を離間させる場合に比べてベルト及びプーリを離間させるためのスペースを別途に設ける必要がなく、装置を小形化することが可能となる。
【００１３】
紙葉類の除去作業をより一層容易にすると共にベルトがプーリから脱落することを効果的に低減するためには、前記伸縮ベルトを搬送路に沿ってギャップを介して隣接状態に二つ配置して第一及び第二の伸縮ベルトとし、第一及び第二の伸縮ベルトを収縮力に抗して支持する複数のプーリのうち搬送路を支持する位置に配置される少なくとも一部のプーリを、紙葉類搬送時に第一の移動位置にあり、紙葉類除去時に前記第一の移動位置から第二の移動位置に移動可能に構成し、第一の移動位置において両伸縮ベルトと当該両伸縮ベルトに搬送路を介して対面する他の少なくとも一つの無端ベルトとが接触乃至近接し、第一の移動位置における両伸縮ベルトに囲まれる領域内で搬送路から離間する方向に移動して両伸縮ベルトを収縮させた第二の移動位置において第一及び第二の伸縮ベルトの搬送路に面する部位のうち各々のギャップ側部位を両伸縮ベルトの収縮により搬送路から離間する方向に変位させた両開き状態にし、第一及び第二の伸縮ベルトと対面する他の無端ベルトとの間にジャム紙葉類除去用の空隙を形成するようにすることが好ましい。
【００１４】
例えば片手のみで操作できる等、プーリを移動させる操作の操作性を向上させるためには、第一の伸縮ベルトを支持するプーリの移動と、第二の伸縮ベルトを支持するプーリの移動とを連動させるリンク機構を備えることが効果的である。
【００１５】
組み付け性を損なうことなく、各入隅プーリから伸縮ベルトの脱落を防止する構成を実現するためには、第一の伸縮ベルトのうち前記ギャップに面する部位と前記搬送路に面する部位との入隅部に配置される第一の入隅プーリが取り付けられる第一のプーリフレームと、第二の伸縮ベルトのうち前記ギャップに面する部位と前記搬送路に面する部位との入隅部に配置される第二の入隅プーリが取り付けられる第二のプーリフレームとを備え、両プーリフレームは、各々の入隅プーリが取り付けられた互いの先端部位を突きあわせた状態で基端側に設定された基点の回りに回転可能とし、回転動作によって両入隅プーリを前記第一の移動位置又は第二の移動位置に移動させるように構成されており、第一のプーリフレームに、前記第一の入隅プーリに巻き付く第一の伸長ベルトの幅方向一方側への脱落を禁止する位置に第一のベルトガイド部を設けるとともに、第二のプーリフレームに、前記第二の入隅プーリに巻き付く第二の伸縮ベルトの幅方向他方側への脱落を禁止する位置に第二のベルトガイド部を設け、両ベルトガイド部を各々の先端側に延伸して、第一及び第二のベルトガイド部で第一及び第二の入隅プーリを幅方向両側から挟み込むように構成することが望ましい。
【００１６】
装置を小型化しても十分な空隙を確保することや装置寸法を変えずにより大きな空隙を形成することを可能ならしめるためには、前記伸縮ベルトの両側にそれぞれ第一及び第二の搬送路を配置したものであって、前記伸縮ベルトを収縮力に抗して支持する複数のプーリのうち第一の搬送路を支持する位置に配置される少なくとも一部のプーリが取り付けられる第一の支持機構と、前記伸縮ベルトを収縮力に抗して支持する複数のプーリのうち第二の搬送路を支持する位置に配置される少なくとも一部のプーリが取り付けられる第二の支持機構とを有し、両支持機構は、互いに他方の支持機構に対して遠近自在に構成され、遠近動作によってプーリを第一の移動位置又は第二の移動位置に移動させるものであり、両支持機構の少なくともいずれか一方には、他方の支持機構との干渉を回避しつつ他方の支持機構と遠近方向においてオーバーラップする受容部が設けられていることが効果的である。
【００１７】
省スペース化や製造コストの低減を図るためには、両支持機構は、プーリを第二の移動位置から第一の移動位置に復帰させるオフセット手段を共用していることが好ましい。
【発明の効果】
【００１８】
本発明は、以上説明したように、伸縮ベルトの搬送路に面する部位の少なくとも一部を伸縮ベルトの収縮により搬送路から離間する方向に変位させて、伸縮ベルトと対面する他のベルトとの間にジャム紙葉類除去用の空隙を形成するようにしたので、従来であればピンセット等の先の尖った道具でなければジャム紙葉類をつまむことができなかったものの、ジャム紙葉類除去用の空隙によってジャム紙葉類を指で掴むことが可能となり、紙葉類の除去作業を容易にすることが可能となる。しかも、ジャム紙葉類除去用の空隙によって無端ベルトによる紙葉類の挟持力が低減するので、紙葉類の除去時にベルトがプーリから脱落することを低減することが可能となる。さらに、搬送路を支持する位置にあるプーリの少なくとも一部を、第一の移動位置における伸縮ベルトに囲まれる領域内で移動させることにより伸縮ベルトを収縮させて変位させるので、ベルト長を変えずにベルト全体を離間させる場合に比べてベルト及びプーリを離間させるためのスペースを別途に設ける必要がなく、装置を小型化することが可能となる。したがって、装置を小型化しつつジャム紙葉類の除去作業性を向上させた紙葉類処理装置を提供することが可能となる。
【図面の簡単な説明】
【００１９】
【図１】本発明の一実施形態に係る紙葉類処理装置の模式的な全体図。
【図２】同実施形態における紙葉類搬送機構の概略を示す模式図。
【図３】紙葉類搬送時の紙葉類搬送機構の一部を示す模式図。
【図４】紙葉類除去時の紙葉類搬送機構の一部を示す模式図。
【図５】紙葉類除去時の紙葉類搬送機構の一部を示す模式図。
【図６】紙葉類搬送機構の一部の拡大斜視図。
【図７】図６に対応する部位を示す拡大側面図。
【図８】図６に対応する部位を一部破断して示す模式的正面図。
【発明を実施するための形態】
【００２０】
以下、本発明の一実施形態に係る紙葉類処理装置を、図面を参照して説明する。本実施形態では紙幣を取り扱う紙幣ブロックとしての紙葉類処理装置を例に挙げて説明する。
【００２１】
図１に示すように、この紙葉類処理装置は、取り扱う紙葉類が紙幣１００であって、紙幣１００の入金・出金を処理するために、入金された紙幣１００を所定の読取位置Ａ５に搬送して金種を読み取り、読み取った金種情報に基づいて紙幣１００を所定の金庫Ａ１、Ａ２、Ａ３、Ａ４に仕分けて搬送するとともに、出金時に所定の金庫Ａ１、Ａ２、Ａ３、Ａ４から取り出した紙幣１００を所定の読取位置Ａ６に搬送して金種を読み取り、出金を間違いなく行うことを可能にするものである。更に、外部からの紙幣１００の補給や、外部への紙幣１００の回収のためにも、装置内部で紙幣１００を搬送することがある。このような紙幣１００を始めとする紙葉類処理装置には、装置内部の各処理部へ紙幣１００を搬送するために紙葉類搬送機構Ａ７が設けられている。
【００２２】
この紙葉類搬送機構Ａ７は、各処理部同士を連絡する複数の紙葉類の搬送路を挟む位置に配置される平ベルト等を用いた複数の無端ベルトと、各々の無端ベルトを支持する複数のプーリとを有し、少なくとも二つの無端ベルトで紙葉類を挟持して搬送するものである。図２はその一部を示しており、ほぼ並走する第一の搬送路Ｒ１及び第二の搬送路Ｒ２の間に、第一及び第二の無端ベルト１，２を両搬送路Ｒ１，Ｒ２に沿ってギャップｇｐを介して隣接状態に配置し、これら第一及び第二の無端ベルト１，２に対して第一の搬送路Ｒ１を介して第三の無端ベルト３を対向配置して、第一及び第二の無端ベルト１，２と第三の無端ベルト３とで第一の搬送路Ｒ１にある紙葉類１００を挟持するようにしている（図３参照）。さらに、第一の無端ベルト１に対して第二の搬送路Ｒ２を介して第四の無端ベルト４を対向配置して第一の無端ベルト１と第四の無端ベルト４とで第二の搬送路Ｒ２にある紙葉類を挟持するようにしている。また、第二の無端ベルト２に対して第二の搬送路Ｒ２を介して第五の無端ベルト５を対向配置して第二の無端ベルト２と第五の無端ベルト５とで第二の搬送路Ｒ２にある紙葉類を挟持するようにしている。すなわち、第一及び第二の無端ベルト１，２の両側に第一及び第二の搬送路Ｒ１，Ｒ２があり、第一及び第二の搬送路Ｒ１，Ｒ２が第一及び第二の無端ベルト１，２を共有するように配置してある。上記各々の無端ベルト１〜５は、内側を複数のプーリ１０〜１７，２０〜２６，３０〜３１，４０〜４１，５０〜５１によって支持されており、適宜設けた搬送力を付与するプーリにより駆動するようにされている。
【００２３】
第一の無端ベルト１及び第二の無端ベルト２は、伸縮性を有する平ベルトを用いたもので、収縮力が発現する伸長状態で各々のプーリ１０〜１７，２０〜２６に張り巡らされている（以後、第一及び第二の伸縮ベルトとも呼ぶ）
【００２４】
図３及び図４に示すように、第一及び第二の伸縮ベルト１，２を収縮力に抗して支持する複数のプーリ１０〜１７，２０〜２６のうち第一の搬送路Ｒ１を支持する位置に配置される一部のプーリ１０〜１２，２０〜２１は、紙葉類搬送時に第一の移動位置ｐ１にあり、紙葉類除去時に第一の移動位置ｐ１から第二の移動位置ｐ２に移動可能に構成されている。具体的には、これらプーリ１０〜１２，２０〜２１を移動可能に支持する第一及び第二のプーリフレーム６０，６１が設けられている。第一のプーリフレーム６０には、第一の伸縮ベルト１を収縮力に抗して支持する複数のプーリ１０〜１７のうち第一の搬送路Ｒ１を支持する位置に配置される一部のプーリ１０〜１２が取り付けられ、第二のプーリフレーム６１には、第二の伸縮ベルト２を収縮力に抗して支持する複数のプーリ２０〜２６のうち第一の搬送路Ｒ１を支持する位置に配置される一部のプーリ２０〜２１が取り付けられている。第一及び第二のプーリフレーム６０，６１は、互いの先端部位６０ａ，６１ａを突きあわせた状態で基端６０ｂ，６１ｂ側に設定された基点Ｃ１，Ｃ２回りに回転可能に構成され、回転動作によって各々のプーリ１０〜１２，２０〜２１を第一の移動位置ｐ１又は第二の移動位置ｐ２に移動させるものである。
【００２５】
そして、図３に示すように、紙葉類１００の搬送時には、両プーリフレーム６０，６１に支持されるプーリ１０〜１２，２０〜２１の位置を第一の移動位置ｐ１とし、第一及び第二の伸縮ベルト１，２と第一及び第二の伸縮ベルト１，２に第一の搬送路Ｒ１を介して対面する他の無端ベルトたる第三の無端ベルト３とが接触乃至近接する状態にして、第一及び第二の伸縮ベルト１，２と第三の無端ベルト３とで第一の搬送路Ｒ１にある紙葉類１００を挟持し搬送する。一方、図４に示すように、紙葉類の詰まり（ジャム）が発生した場合には、両プーリフレーム６０，６１に支持されるプーリ１０〜１２，２０〜２１の位置を、第一の移動位置ｐ１において第一及び第二の伸縮ベルト１，２に囲まれる領域Ａｒ１，Ａｒ２内で第一の搬送路Ｒ１から離間する方向（Ｘ１方向）に移動して両伸縮ベルト１，２を収縮させた第二の移動位置ｐ２とし、両ベルト１，２の搬送路Ｒ１に面する部位１ａ，２ａのうち各々のギャップｇｐ側部位を両ベルト１，２の伸縮により反搬送路側（搬送路Ｒ１から離間する方向、Ｘ１方向）に変位させた両開き状態にし、第一及び第二の伸縮ベルト１，２とこれら伸縮ベルト１，２と対面する他のベルトたる第三の無端ベルト３との間に漏斗状のジャム紙葉類除去用の空隙Ｋ１を形成している。プーリの移動は伸縮ベルト１の収縮力が発現する範囲内で行うので伸縮ベルト１が撓んでプーリから脱落するものではない。この漏斗状の空隙Ｋ１は、少なくとも指が入る程度の大きさに設定されており、さらに例えば２０枚等の束状態の紙幣１００の厚み寸法及び長手方向（搬送方向）の長さよりも大きくなるように設定されている。この関係は、搬送方向の長さが最も長い金種の紙幣（日本円であれば一万円）に対して成立する。これはドルやユーロなどでも同様である（以下、同様）。勿論、第一の伸縮ベルト１を支持する複数のプーリ１０〜１７のうち第一の搬送路Ｒ１を支持する位置にある一部のプーリ１０〜１２を移動可能にしているが、Ｒ１を支持する位置にある全てのプーリ（例えばプーリ１０〜１３）を移動可能にしてもよい。その数は、単一でもよく複数でもよい。また、これらプーリは、プーリフレーム６０，６１の回動動作によって移動するように構成されているが、スライド動作によって移動可能に構成してもよい。
【００２６】
第一及び第二のプーリフレーム６０，６１は、図６及び図７に示すように、第一の搬送路Ｒ１に沿って配置される基板６０ｃ，６１ｃと、基板６０ｃ，６１ｃの幅方向両側に位置する側壁６０ｄ，６１ｄとを備えており、側壁６０ｄ，６１ｄには図２で示す各々のプーリ１０〜１２，２０〜２１が取り付けられている。これらプーリ１０〜１２，２０〜２１には、図２に示すように、第一の伸縮ベルト１のうちギャップｇｐに面する部位１ｂと第一の搬送路Ｒ１に面する部位１ａとの入隅部に配置される第一の入隅プーリ１０と、第二の伸縮ベルト２のうちギャップｇｐに面する部位２ｂと第一の搬送路Ｒ１に面する部位２ａとの入隅部に配置される第二の入隅プーリ２０とがあり、図２、図６及び図７に示すように、第一の入隅プーリ１０は第一のプーリフレーム６０の先端部位６０ａに、第二の入隅プーリ２０は第二のプーリフレーム６１の先端部位６１ａに、それぞれ取り付けられている。両プーリフレーム６０，６１のうち一方の第一のプーリフレーム６０の幅Ｗ１は他方の第２のプーリフレーム６１の幅Ｗ２よりも幅広に形成されており、幅広の第一のプーリフレーム６０は側壁６０ｄの幅方向内側に第一の入隅プーリ１０を取り付けることで、第一の入隅プーリ１０に巻き付く第一の伸縮ベルト１の幅方向外側への脱落を禁止する位置に第一のベルトガイド部７０を設けている。また、幅狭の第２のプーリフレーム６１は側壁６１ｄの幅方向外側に第二の入隅プーリ２０を取り付けることで、第二の入隅プーリ２０に巻き付く第二の伸縮ベルト２の幅方向内側への脱落を禁止する位置に第二のベルトガイド部７１を設けている。そして、第一及び第二のベルトガイド部７０，７１は、各々の先端側に延伸して、第一及び第二のベルトガイド部７０，７１で第一及び第二の入隅プーリ１０，２０を幅方向両側から挟み込むような位置関係にされている。勿論、第一のプーリフレーム６０を第二のプーリフレーム６１よりも幅狭として、第一及び第二のベルトガイド部７０，７１が脱落を禁止する方向を互いに入れ替えてもよい。
【００２７】
図６に示すように、幅狭の第２のプーリフレーム６１に設けられる第二のベルトガイド部７１の先端部７１ａには、先端側に開く凹部７１ａ１が形成されており、この凹部７１ａ１と第一のプーリフレーム６０の先端部位６０ａに取り付けられるプーリ支軸１０ａとを嵌め合い状態にすることで、両プーリフレーム６０，６１の先端部位６０ａ，６１ａ同士を、搬送路Ｒ１（搬送方向）に沿った接離動作を許容するものの、回動方向において干渉しあう構造にしている。この構造によって、第一の伸縮ベルト１を支持するプーリ１０〜１２の移動と、第二の伸縮ベルト２を支持するプーリ２０〜２１の移動とを連動させるリンク機構８を構成している。第一のプーリフレーム６０の先端部位６０ａに設けられるプーリ支軸１０ａの幅方向一方（係員側）の先端には、第一及び第二のプーリフレーム６０，６１に支持される各々のプーリ１０〜１２，２０〜２１を第一の移動位置ｐ１から第二の移動位置ｐ２に移動させるための操作手段たる把手部９が取り付けられている。
【００２８】
上記第一及び第二の伸縮ベルト１，２を支持する複数のプーリ１０〜１７，２０〜２６のうち第二の搬送路Ｒ２を支持するプーリ１５〜１７，２４〜２６も、第一の搬送路Ｒ１を支持するプーリ１０〜１２，２０〜２１とほぼ基本的に同様に構成されている。
【００２９】
すなわち、図３及び図５に示すように、第一及び第二の伸縮ベルト１，２を収縮力に抗して支持する複数のプーリ１０〜１７，２０〜２６のうち第二の搬送路Ｒ２を支持する位置に配置される一部のプーリ１５〜１７，２４〜２６は、紙葉類搬送時に第一の移動位置ｐ１にあり、紙葉類除去時に第一の移動位置ｐ１から第二の移動位置ｐ２に移動可能に構成されている。具体的には、これらプーリ１５〜１７，２４〜２６を移動可能に支持する第一及び第二のプーリフレーム６２，６３が設けられている。第一のプーリフレーム６２には、第一の伸縮ベルト１を収縮力に抗して支持する複数のプーリ１０〜１７のうち第二の搬送路Ｒ２を支持する位置に配置される一部のプーリ１５〜１７が取り付けられ、第二のプーリフレーム６３には、第二の伸縮ベルト２を収縮力に抗して支持する複数のプーリ２０〜２６のうち第二の搬送路Ｒ２を支持する位置に配置される一部のプーリ２４〜２６が取り付けられている。第一及び第二のプーリフレーム６２，６３は、互いの先端部位６２ａ，６３ａを突きあわせた状態で基端６２ｂ，６３ｂ側に設定された基点Ｃ３，Ｃ４回りに回転可能に構成され、回転動作によって各々のプーリ１５〜１７，２４〜２６を第一の移動位置ｐ１又は第二の移動位置ｐ２に移動させるものである。
【００３０】
そして、図３に示すように、紙葉類１００の搬送時には、両プーリフレーム６２，６３に支持されるプーリ１５〜１７，２４〜２６の位置を第一の移動位置ｐ１とし、第一及び第二の伸縮ベルト１，２と第一及び第二の伸縮ベルト１，２に第二の搬送路Ｒ２を介して対面する他の無端ベルトたる第四及び第五の無端ベルト４，５とが接触乃至近接する状態にして、第一及び第二の伸縮ベルト１，２と第四及び第五の無端ベルト４，５とで第二の搬送路Ｒ２にある紙葉類を挟持し搬送する。一方、図５に示すように、紙葉類の詰まり（ジャム）が発生した場合には、両プーリフレーム６２，６３に支持されるプーリ１５〜１７，２４〜２６の位置を、第一の移動位置ｐ１において第一及び第二の伸縮ベルト１，２に囲まれる領域Ａｒ１，Ａｒ２内で第二の搬送路Ｒ２から離間する方向（Ｘ２方向）に移動して両伸縮ベルト１，２を収縮させた第二の移動位置ｐ２とし、両ベルト１，２の搬送路Ｒ２に面する部位１ｃ，２ｃのうち各々のギャップｇｐ側部位を両ベルト１，２の伸縮により反搬送路側（搬送路Ｒ２から離間する方向、Ｘ２方向）に変位させた両開き状態にし、第一及び第二の伸縮ベルト１，２とこれら伸縮ベルト１，２と対面する他のベルトたる第四及び第五の無端ベルト４，５との間に漏斗状のジャム紙葉類除去用の空隙Ｋ２を形成している。この空隙Ｋ２の寸法も上記空隙Ｋ１と同様に上記紙葉類１００との関係が成立するように設定している。
【００３１】
第二の搬送路Ｒ２側の第一及び第二のプーリフレーム６２，６３は、上記の第一の搬送路Ｒ１側の両プーリフレーム６０，６１とほぼ同様の構成をなしており、上記と同様にそれぞれに第一及び第二のベルトガイド部７０，７１やリンク機構８、把手部９が設けられている。図３〜図５に示すように、第一の搬送路Ｒ１側と第二の搬送路Ｒ２側の第一のプーリフレーム６０，６２は、互いに背合わせ状態で配置されるとともに、第一の搬送路Ｒ１側と第二の搬送路Ｒ２側の第二のプーリフレーム６１，６３は、互いに背合わせ状態で配置されている。
【００３２】
以下説明の便宜上、第一の搬送路Ｒ１側の第二のプーリフレーム６１を第一の支持機構６１と呼び、第二の搬送路Ｒ２側の第二のプーリフレーム６３を第二の支持機構６３と呼ぶ。これら両支持機構６１，６３は、各々の基点Ｃ２，Ｃ４回りの回動動作によって互いに先端部位６１ａ，６３ａが他方の支持機構に対して遠近自在に構成され、この遠近動作（回動動作）によってプーリを第一の移動位置ｐ１又は第二の移動位置ｐ２に移動させている。図６及び図８に示すように、第二の支持機構６３は、図７に示す第一のプーリフレーム６０とほぼ同一幅に形成されて、第一の支持機構６１よりも幅広に形成されており、幅広の第二の支持機構６３の先端部位６３ａには、その基板６３ｃに切り欠きや肉盗、肉抜を設けることで他方の支持機構である幅狭な第一の支持機構６１との干渉を避けつつ他方の第一の支持機構６１と遠近方向においてオーバーラップする受容部Ｕが設けられている。この受容部Ｕがあることで限られたスペースにおいてプーリ２０，２１，２４〜２６を各々の搬送路Ｒ１，Ｒ２から離間させる距離をかせぐことが可能となる。
【００３３】
また、図６及び図８に示すように、第一及び第二の支持機構６１，６３の各々の先端部位６１ａ，６３ａの間には、一端を足場として他端に付勢力を作用させる圧縮バネ等の弾性部材９０が設けられており、弾性部材９０の一端を第一及び第二の支持機構６１，６３の一方に関連付け、弾性部材９０の他端を第一及び第二の支持機構６１，６３の他方に関連付けることで弾性部材９０の付勢力によりプーリ２０〜２１，２４〜２６を第二の移動位置ｐ２から第一の移動位置ｐ１に復帰させるオフセット手段９１を構成し、このオフセット手段９１を両支持機構６１，６３で共用している。
【００３４】
すなわち、紙葉類１００の搬送時には、オフセット手段９１によって各々のプーリが第一の移動位置ｐ１になるようにオフセット付勢されており、紙葉類１００が各ベルト１〜５で適切に挟持されている。紙葉類１００の詰まり（ジャム）時には、係員が把手部９をオフセット手段９１の付勢力に抗しながら手で押圧することで、各々のプーリを第一の移動位置ｐ１から第二の移動位置ｐ２に移動させて伸縮ベルト１，２を収縮させてジャム紙葉類除去用の空隙Ｋ１，Ｋ２を形成し、ジャム紙葉類１００の除去作業を行う。除去作業が終わると、手による把手部９の保持を開放することでオフセット手段９１の付勢力により各々のプーリが第一の移動位置ｐ１に復帰して、紙葉類処理装置の運用を容易に再開することが可能となる。
【００３５】
以上のように、本実施形態の紙葉類処理装置は、紙葉類１００の搬送路Ｒ１を挟む位置に配置される複数の無端ベルト１，３と、各々の無端ベルト１、３を支持する複数のプーリ１０〜１７，３０〜３１とを有し、少なくとも二つの無端ベルト１，３で紙葉類１００を挟持して搬送するにあたり、複数の無端ベルト１，３のうち少なくとも一つの無端ベルト１を、伸縮性を有し収縮力の発現する伸長状態で張り巡らせた伸縮ベルト１とし、伸縮ベルト１を収縮力に抗して支持する複数のプーリ１０〜１７のうち搬送路Ｒ１を支持する位置に配置される少なくとも一部のプーリ１０〜１２を、紙葉類搬送時に第一の移動位置ｐ１にあり、紙葉類除去時に第一の移動位置ｐ１から第二の移動位置ｐ２に移動可能に構成し、第一の移動位置ｐ１において伸縮ベルト１と伸縮ベルト１に搬送路Ｒ１を介して対面する他のベルト３とが接触乃至近接し、第一の移動位置ｐ１における伸縮ベルト１に囲まれる領域Ａｒ１内で搬送路Ｒ１から離間する方向（Ｘ１方向）に移動した第二の移動位置ｐ２において伸縮ベルト１の搬送路Ｒ１に面する部位１ａの少なくとも一部を伸縮ベルト１の収縮により搬送路Ｒ１から離間する方向（Ｘ１方向）に変位させて、伸縮ベルト１と対面する他のベルト３との間にジャム紙葉類除去用の空隙Ｋ１を形成するようにしている。
【００３６】
「近接」は、紙葉類１００を挟む二つの無端ベルト１，３の間の距離を、紙葉類１００を搬送するために必要な挟持力が得られる程度の距離にすることを意味する。
【００３７】
このように、伸縮ベルト１を収縮力に抗して支持する複数のプーリ１０〜１７のうち第一の搬送路Ｒ１を支持する位置に配置される少なくとも一部のプーリ１０〜１２を、紙葉類搬送時に第一の移動位置ｐ１にあり、紙葉類除去時に第一の移動位置ｐ１から第二の移動位置ｐ２に移動可能に構成し、第一の搬送路Ｒ１から離間する方向（Ｘ１方向）に移動させた第二の移動位置ｐ２において伸縮ベルト１の搬送路Ｒ１に面する部位１ａの少なくとも一部を伸縮ベルト１の収縮により搬送路Ｒ１から離間する方向（Ｘ１方向）に変位させて、伸縮ベルト１と対面する他のベルト３との間にジャム紙葉類除去用の空隙Ｋ１を形成するようにしたので、従来であればピンセット等の先の尖った道具でなければジャム紙葉類１００を掴めなかったものの、ジャム紙葉類除去用の空隙Ｋ１によってジャム紙葉類１００を指で掴むことが可能となり、紙葉類１００の除去作業が容易となる。しかも、ジャム紙葉類除去用の空隙Ｋ１によって無端ベルト１，３による紙葉類１００の挟持力が低減するので、紙葉類１００の除去時にベルト１がプーリ１０等から脱落することを低減することが可能となる。さらに、搬送路Ｒ１を支持する位置にあるプーリの少なくとも一部のプーリ１０〜１２を、第一の移動位置ｐ１における伸縮ベルト１に囲まれる領域Ａｒ１内で移動させることにより伸縮ベルト１を収縮させるので、ベルト１を支持する複数のプーリ１０〜１７の位置関係すなわちベルト長を保った状態でベルト全体を離間させる場合に比べてベルト１及びプーリ１０〜１７を離間させるためのスペースを別途に設ける必要がなく、装置を小形化することが可能となる。
【００３８】
このような構成及び作用効果は、例えば第一の搬送路Ｒ１を挟む第二の伸縮ベルト２と第三の無端ベルト３との関係、第二の搬送路Ｒ２を挟む第一の伸縮ベルト１と第四の無端ベルト４との関係、第二の搬送路Ｒ２を挟む第二の伸縮ベルト２と第５の無端ベルト５との関係等においても、全く同様である。
【００３９】
特に、本実施形態では、上記伸縮ベルトを第一の搬送路Ｒ１に沿ってギャップｇｐを介して隣接状態に二つ配置して第一及び第二の伸縮ベルト１，２とし、第一及び第二の伸縮ベルト１，２を収縮力に抗して支持する複数のプーリ１０〜１７，２０〜２６のうち第一の搬送路Ｒ１を支持する位置に配置される少なくとも一部のプーリ１０〜１２，２０〜２１を、紙葉類搬送時に第一の移動位置ｐ１にあり、紙葉類除去時に第一の移動位置ｐ１から第二の移動位置ｐ２に移動可能に構成し、第一の移動位置ｐ１において両伸縮ベルト１，２と両伸縮ベルト１，２に第一の搬送路Ｒ１を介して対面する他の少なくとも一つの無端ベルト３とが接触乃至近接し、第一の移動位置ｐ１における両伸縮ベルト１，２に囲まれる領域Ａｒ１，Ａｒ２内で第一の搬送路Ｒ１から離間する方向（Ｘ１方向）に移動して両伸縮ベルト１，２を収縮させた第二の移動位置ｐ２において第一及び第二の伸縮ベルト１，２の搬送路Ｒ１に面する部位１ａ，２ａのうち各々のギャップｇｐ側部位を両伸縮ベルト１，２の収縮により搬送路Ｒ１から離間する方向（Ｘ１方向）に変位させた両開き状態にし、第一及び第二の伸縮ベルト１，２と対面する他の無端ベルト３との間にジャム紙葉類除去用の空隙Ｋ１を形成するようにしているので、一つの伸縮ベルト１の変位でジャム紙葉類除去用の空隙を形成する場合に比べて二つの伸縮ベルト１，２を両開き状態で変位させた方が大きな空隙を得ることができるので、紙葉類の除去作業をより一層容易にすると共にベルトがプーリから脱落することを効果的に低減することが可能となる。例えば、単一又は束状態の紙葉類１００から伸縮ベルト１，２を完全に離間させる空隙Ｋ１を形成することも可能となり、この場合、ベルトによる紙葉類の挟持力が無くなるので、挟持力によりベルトがプーリから脱落することを防止することが可能となる。
【００４０】
このような構成及び作用効果は、例えば第二の搬送路Ｒ２を挟む第一及び第二の伸縮ベルト１，２と第四及び第五の無端ベルト４，５との関係等においても、全く同様である。
【００４１】
さらに、本実施形態では、第一の伸縮ベルト１を支持するプーリ１０〜１２の移動と、第二の伸縮ベルト２を支持するプーリ２０〜２１の移動とを連動させるリンク機構８を備えているので、第一及び第二の伸縮ベルト１，２を支持するプーリ１０〜１２，２０〜２１うちいずれか一方の伸縮ベルト１を支持するプーリ１０〜１２を移動させると、他方の伸縮ベルト２を支持するプーリ２０〜２１も連動して移動するので、一つの操作で両伸縮ベルトを変位させて両開き状態にすることができ、例えば片手のみで操作できる等、プーリを移動させる操作の操作性を向上させることが可能となる。
【００４２】
加えて、一つのプーリフレームに対して入隅プーリを両側から挟み込む二つのベルトガイド部を設けると、入隅プーリに対してベルトを張る際にベルトガイド部を超えなければベルトをプーリに懸けることができないので、組み付け性が好ましくないが、本実施形態では、第一の伸縮ベルト１のうちギャップｇｐに面する部位１ｂと第一の搬送路Ｒ１に面する部位１ａとの入隅部に配置される第一の入隅プーリ１０が取り付けられる第一のプーリフレーム６０と、第二の伸縮ベルト２のうちギャップｇｐに面する部位２ｂと第一の搬送路Ｒ１に面する部位２ａとの入隅部に配置される第二の入隅プーリ２０が取り付けられる第二のプーリフレーム６１とを備え、両プーリフレーム６０，６１は、各々の入隅プーリ１０，２０が取り付けられた互いの先端部位６０ａ，６１ａを突きあわせた状態で基端６０ｂ，６１ｂ側に設定された基点Ｃ１，Ｃ２の回りに回転可能とし、回転動作によって両入隅プーリ１０，２０を第一の移動位置ｐ１又は第二の移動位置ｐ２に移動させるように構成されており、第一のプーリフレーム６０に、第一の入隅プーリ１０に巻き付く第一の伸縮ベルト１の幅方向一方側への脱落を禁止する位置に第一のベルトガイド部７０を設けるとともに、第二のプーリフレーム６１に、第二の入隅プーリ２０に巻き付く第二の伸縮ベルト２の幅方向他方側への脱落を禁止する位置に第二のベルトガイド部７１を設け、両ベルトガイド部７０，７１を各々の先端側に延伸して、第一及び第二のベルトガイド部７０，７１で第一及び第二の入隅プーリ１０，２０を幅方向両側から挟み込むように構成しているので、伸縮ベルト１，２を入隅プーリ１０、２０に懸けた後で各々のプーリフレーム６０，６１を突きあわせるだけで、組み付け性を損なうことなく、各入隅プーリ１０，２０から伸縮ベルト１，２の脱落を防止する構成を実現することが可能となる。
【００４３】
このような構成及び作用効果は、例えば第一の入隅プーリ７０を支持する第一のプーリフレーム６２と第二の入隅プーリ２６を支持する第二のプーリフレーム６３との関係等においても、全く同様である。
【００４４】
さらに、本実施形態では、第二の伸縮ベルト２の両側にそれぞれ第一及び第二の搬送路Ｒ１，Ｒ２を配置したものであり、第二の伸縮ベルト２を収縮力に抗して支持する複数のプーリ２０〜２６のうち第一の搬送路Ｒ１を支持する位置に配置される少なくとも一部のプーリ２０〜２１が取り付けられる第一の支持機構６１（プーリフレーム６１）と、第二の伸縮ベルト２を収縮力に抗して支持する複数のプーリ２０〜２６のうち第二の搬送路Ｒ２を支持する位置に配置される少なくとも一部のプーリ２４〜２６が取り付けられる第二の支持機構６３（プーリフレーム６３）とを有し、両支持機構６１，６３は、互いに他方の支持機構に対して遠近自在に構成され、遠近動作によってプーリ２０〜２１，２４〜２６を第一の移動位置ｐ１又は第二の移動位置ｐ２に移動させるものであり、両支持機構６１，６３のいずれか一方の支持機構６３には、他方の支持機構６１との干渉を回避しつつ他方の支持機構６１と遠近方向においてオーバーラップする受容部Ｕが設けられているので、両支持機構６１，６３を背中合わせ状態に配置した場合であっても限られたスペースにおいて各々のプーリ２０〜２１，２４〜２６を各搬送路Ｒ１，Ｒ２から離間させる距離をかせぐことができ、装置を小型化しても十分な空隙を確保することや装置寸法を変えずにより大きな空隙を形成することが可能となる。さらに、ジャム紙葉類除去用の空隙を形成する箇所を複数設定しているので、紙葉類の除去性を向上させることが可能となる。
【００４５】
このような構成及び作用効果は、例えば第一の支持機構をプーリフレーム６０とし、第二の支持機構をプーリフレーム６２とした場合等においても、全く同様である。
【００４６】
その他、両支持機構６１，６３は、プーリ２０〜２１，２４〜２６を第二の移動位置ｐ２又は第一の移動位置ｐ１に復帰させるオフセット手段９１を共用しているので、背中合わせの両支持機構６１，６３にオフセット手段９１を共用させて、オフセット手段９１を別個に設ける必要を無くして省スペース化や製造コストの低減を図ることが可能となる。
【００４７】
なお、以上において、搬送路を構成する適宜のプーリにベルト駆動力が導入されるのは言うまでもない。
【００４８】
以上、本発明の実施形態について図面に基づいて説明したが、各部の具体的な構成は上述した実施形態のみに限定されるものではなく、本発明の趣旨を逸脱しない範囲で種々変形が可能である。
【００４９】
例えば、本実施形態では紙葉類を紙幣として扱ったが、紙幣に限らずチケットやカードなどを発券する発券機にも本実施形態は適用可能である。
【符号の説明】
【００５０】
１００…紙葉類
１〜５…無端ベルト
１…第一の伸縮ベルト
２…第二の伸縮ベルト
１ｂ，２ｂ…ギャップに面する部位
１ａ，２ａ…搬送路に面する部位
１０〜１７，２０〜２６，３０〜３１，４０〜４１，５０〜５１…プーリ
１０…第一の入隅プーリ
２０…第二の入隅プーリ
６０…第一のプーリフレーム
６１…第二のプーリフレーム（第一の支持機構）
６３…第二の支持機構
６０ａ，６１ａ…先端部位
６０ｂ，６１ｂ…基端
７０…第一のベルトガイド部
７１…第二のベルトガイド部
８…リンク機構
９１…オフセット手段
Ａｒ１…第一の移動位置にある第一の伸縮ベルトに囲まれる領域
Ａｒ２…第一の移動位置にある第二の伸縮ベルトに囲まれる領域
Ｃ１，Ｃ２…基点
Ｒ１…第一の搬送路
Ｒ２…第二の搬送路
ｐ１…第一の移動位置
ｐ２…第二の移動位置
Ｋ１，Ｋ２…ジャム紙葉類除去用の空隙
ｇｐ…ギャップ
Ｕ…受容部
【図１】
2012062146.tif 000003
【図２】
2012062146.tif 000004
【図３】
2012062146.tif 000005
【図４】
2012062146.tif 000006
【図５】
2012062146.tif 000007
【図６】
2012062146.tif 000008
【図７】
2012062146.tif 000009
【図８】
2012062146.tif 000010